(57)【要約】【課題】台形歪補正後における投写画像の位置調節を、容易且つ適切に行うことのできるプロジェクター装置およびプロジェクター装置の投写方法を提供する。【解決手段】プロジェクター装置は、光源部からの光を画像信号に応じて変調する光変調素子（液晶ライトバルブ３４）と、光変調素子の有効領域５０の面内の表示可能領域５４により変調された変調光を投写面３０に対して投写する投写部と、表示可能領域５４による光変調画像１００を、光変調素子の有効領域５０内の一部の領域である補正後画像領域５１により投写させることによって、投写面３０に投写される投写画像２００の台形歪を補正する台形歪補正部と、補正後画像領域５１を、そのサイズおよび形状を保持したまま有効領域５０の面内で移動させることにより、投写面３０に投写される投写画像２００の位置を調整する位置調整部と、を備えたことを特徴とする。【選択図】図６
2011205524.tif 000002
【特許請求の範囲】
【請求項１】
光源部からの光を画像信号に応じて変調する光変調素子と、
前記光変調素子の有効領域の面内の表示可能領域により変調された変調光を投写面に対
して投写する投写部と、
前記表示可能領域による光変調画像を、前記光変調素子の有効領域内の一部の領域であ
る補正後画像領域により投写させることによって、前記投写面に投写される投写画像の台
形歪を補正する台形歪補正部と、
前記補正後画像領域を、そのサイズおよび形状を保持したまま前記有効領域の面内で移
動させることにより、前記投写面に投写される投写画像の位置を調整する位置調整部と、
を備えたことを特徴とするプロジェクター装置。
【請求項２】
前記位置調整部は、前記補正後画像領域を、その少なくとも２箇所の角部を前記有効領
域に内接させた状態で移動させることを特徴とする請求項１に記載のプロジェクター装置
。
【請求項３】
前記投写画像の投写後に、前記補正後画像領域の前記有効領域内における移動量を調節
するための操作部をさらに備え、
前記位置調整部は、前記操作部の操作に従って、前記投写画像の位置を調整することを
特徴とする請求項１または２に記載のプロジェクター装置。
【請求項４】
前記操作部は、前記台形歪補正部により縦方向の台形歪補正が行われている場合に操作
する縦方向用操作部と、前記台形歪補正部により横方向の台形歪補正が行われている場合
に操作する横方向用操作部と、を有することを特徴とする請求項３に記載のプロジェクタ
ー装置。
【請求項５】
前記操作部は、つまみの変位量で、前記補正後画像領域の移動量を調節するつまみ移動
式操作子から成ることを特徴とする請求項４に記載のプロジェクター装置。
【請求項６】
前記操作部は、レバーの傾き方向および傾き量で、前記補正後画像領域の移動方向およ
び移動量を調節するレバー式操作子から成ることを特徴とする請求項３に記載のプロジェ
クター装置。
【請求項７】
光源部からの光を画像信号に応じて変調する光変調素子を備え、前記光変調素子の有効
領域の面内の表示可能領域により変調された変調光を投写面に対して投写するプロジェク
ター装置の投写方法であって、
前記表示可能領域による光変調画像を、前記光変調素子の有効領域内の一部の領域であ
る補正後画像領域により投写させることによって、前記投写面に投写される投写画像の台
形歪を補正する台形歪補正ステップと、
前記補正後画像領域を、そのサイズおよび形状を保持したまま前記有効領域の面内で移
動させることにより、前記投写面に投写される投写画像の位置を調整する位置調整ステッ
プと、を実行することを特徴とするプロジェクター装置の投写方法。
【発明の詳細な説明】
【技術分野】
【０００１】
本発明は、投写面に投写される投写画像の台形歪を補正する台形歪補正機能を備えたプ
ロジェクター装置およびプロジェクター装置の投写方法に関するものである。
【背景技術】
【０００２】
従来、この種のプロジェクター装置として、光源からの光を変調する光変調素子の表示
可能領域の画像を補正することによって、投写面に投写される投写画像の台形歪を補正す
るものが知られている（特許文献１参照）。
このプロジェクター装置は、光変調素子全面から投写した全面投写領域が、投写面（ス
クリーン）を内包するように拡大した状態で、光変調素子の表示可能領域の画像を、投写
面の輪郭に対応する光変調素子の補正後画像領域に合わせて縮小補正させ、投写画像の台
形歪を補正する。このとき、表示可能領域の画像が縮小補正されて画像が投写表示されな
くなった光変調素子の各画素は、光源からの光を透過させないよう、全黒画像表示となる
ように制御される。
【先行技術文献】
【特許文献】
【０００３】
【特許文献１】特開２００６−００５５３４号公報
【発明の概要】
【発明が解決しようとする課題】
【０００４】
ところで、投写面に投写される投写画像の位置を調節する方法として、ズームレンズの
レンズシフト機能や、プロジェクター装置自体の設置角度を変える方法が考えられる。し
かし、このような方法では、投写面に対する投写光軸が変化して投写画像に顕著な台形歪
が生じる。よって、台形歪補正後に投写画像の位置調節を行うと、再び上記のような台形
歪補正の処理を繰り返す必要があり、処理が煩雑になるという問題があった。また、この
ような機械的な調節方法は、微細な位置調節が困難であり、使用者の希望通りに調節がで
きないという問題もある。
【０００５】
本発明は、上記の点を鑑み、台形歪補正後における投写画像の位置調節を、容易且つ適
切に行うことのできるプロジェクター装置およびプロジェクター装置の投写方法を提供す
ることを課題としている。
【課題を解決するための手段】
【０００６】
本発明のプロジェクター装置は、光源部からの光を画像信号に応じて変調する光変調素
子と、光変調素子の有効領域の面内の表示可能領域により変調された変調光を投写面に対
して投写する投写部と、表示可能領域による光変調画像を、光変調素子の有効領域内の一
部の領域である補正後画像領域により投写させることによって、投写面に投写される投写
画像の台形歪を補正する台形歪補正部と、補正後画像領域を、そのサイズおよび形状を保
持したまま有効領域の面内で移動させることにより、投写面に投写される投写画像の位置
を調整する位置調整部と、を備えたことを特徴とする。
【０００７】
本発明のプロジェクター装置の投写方法は、光源部からの光を画像信号に応じて変調す
る光変調素子を備え、光変調素子の有効領域の面内の表示可能領域により変調された変調
光を投写面に対して投写するプロジェクター装置の投写方法であって、表示可能領域によ
る光変調画像を、光変調素子の有効領域内の一部の領域である補正後画像領域により投写
させることによって、投写面に投写される投写画像の台形歪を補正する台形歪補正ステッ
プと、補正後画像領域を、そのサイズおよび形状を保持したまま有効領域の面内で移動さ
せることにより、投写面に投写される投写画像の位置を調整する位置調整ステップと、を
実行することを特徴とする。
【０００８】
上記の構成によれば、位置調整部により補正後画像領域を移動させるため、投写面に対
する投写光軸を変化させずに、投写画像の位置を調節することができる。これにより、位
置調節した投写画像に大きな台形歪が生じることがないため、位置調節後に台形歪補正を
繰り返す必要がなく、画像処理を単純化することができる。また、光変調素子上の補正後
画像領域を、そのサイズおよび形状を保持したまま有効領域内で移動させるため、位置調
節に伴う画像処理も容易であると共に、光変調素子の画素単位での移動が可能になり、投
写画像の微細な位置調節が可能になる。さらに、光変調素子の有効領域における補正後画
像領域外の未使用画素を有効活用することができる。
【０００９】
この場合、位置調整部は、補正後画像領域を、その少なくとも２箇所の角部を有効領域
に内接させた状態で移動させることが好ましい。
【００１０】
上記の構成によれば、補正後画像領域が、有効領域内において最大の面積を占めること
ができるため、光変調素子を最大限有効活用することができる。
【００１１】
また、投写画像の投写後に、補正後画像領域の有効領域内における移動量を調節するた
めの操作部をさらに備え、位置調整部は、操作部の操作に従って、投写画像の位置を調整
することが好ましい。
【００１２】
上記の構成によれば、ユーザーの操作に従って、ユーザーが所望する量だけ投写画像の
位置を調整することができる。
【００１３】
この場合、操作部は、台形歪補正部により縦方向の台形歪補正が行われている場合に操
作する縦方向用操作部と、台形歪補正部により横方向の台形歪補正が行われている場合に
操作する横方向用操作部と、を有することが好ましい。
【００１４】
上記の構成によれば、縦方向用操作部および横方向用操作部の２つの操作部により、直
感的な操作で、投写画像の位置を調整させることができる。
【００１５】
この場合、操作部は、つまみの変位量で、補正後画像領域の移動量を調節するつまみ移
動式操作子から成ることが好ましい。
【００１６】
上記の構成によれば、つまみの変位量で調節できるため、連続的に投写画像の位置を調
整させることができる。なお、つまみ移動式操作子は、つまみを直線方向に移動（スライ
ド）させる直線式つまみ、つまみを回転させる回転式つまみのいずれであっても良い。
【００１７】
また、操作部は、レバーの傾き方向および傾き量で、補正後画像領域の移動方向および
移動量を調節するレバー式操作子から成ることが好ましい。
【００１８】
上記の構成によれば、レバーの傾き方向および傾き量で調節できるため、直感的、且つ
連続的に投写画像の位置を調整させることができる。なお、レバー式操作子としては、ジ
ョイスティックや十字レバーなどが挙げられる。
【図面の簡単な説明】
【００１９】
【図１】プロジェクター装置の制御構成を示すブロック図である。
【図２】（ａ）は、台形歪補正処理前の光変調素子の表示可能領域の画像および投写画像を示す図であり、（ｂ）は、台形歪補正処理後の光変調素子の表示可能領域の画像および投写画像を示す図ある。
【図３】（ａ）は、操作パネルの正面図であり、（ｂ）は、位置調節用つまみの拡大斜視図である。
【図４】プロジェクター装置のリモコンを模式的に表した斜視図である。
【図５】プロジェクター装置の投写処理を示すフローチャートである。
【図６】（ａ）は、縦方向における位置調整処理前の光変調素子の表示可能領域の画像および投写画像を示す図であり、（ｂ）および（ｃ）は、位置調整処理後の光変調素子の表示可能領域の画像および投写画像を示す図である。
【図７】（ａ）は、横方向における位置調整処理前の光変調素子の表示可能領域の画像および投写画像を示す図であり、（ｂ）および（ｃ）は、位置調整処理後の光変調素子の表示可能領域の画像および投写画像を示す図である。
【図８】（ａ）は、縦横方向における位置調整処理前の光変調素子の表示可能領域の画像および投写画像を示す図であり、（ｂ）および（ｃ）は、位置調整処理後の光変調素子の表示可能領域の画像および投写画像を示す図である。
【発明を実施するための形態】
【００２０】
以下、添付の図面を参照し、本発明の一実施形態に係るプロジェクター装置およびプロ
ジェクター装置の投写方法について説明する。図１は、プロジェクター装置１の構成を示
すブロック図である。同図に示すように、プロジェクター装置１は、信号入力部１１、画
像処理部１２、投写制御部１３、投写光学系１４、撮像部１５、操作部１６およびこれら
を統括制御する中央制御部１７を備えている。
【００２１】
信号入力部１１は、パーソナルコンピューターやビデオレコーダ等の外部機器１０から
画像信号を入力する。すなわち、信号入力部１１は、パーソナルコンピューターから出力
されたＲＧＢ信号やビデオレコーダから出力されたコンポジット信号を受信するインター
フェースにより実現される。なお、本実施形態においては、外部機器１０から信号入力部
１１を介して画像信号が入力されることとしたが、記録媒体（ＵＳＢメモリーやＳＤメモ
リーカード）が差し込まれているかを検出し、当該記録媒体から画像信号を読み出す構成
としても良い。
【００２２】
画像処理部１２は、信号入力部１１により入力した画像信号に対し、予め記憶されてい
る画像処理プログラムに基づいて所定の処理を実行する。この所定の処理により画像信号
から光変調画像データが生成され、この光変調画像データに基づいて、後述の液晶ライト
バルブ３４（光変調素子）から光変調画像１００（表示可能領域の画像）を投写する。な
お、光変調画像１００に対応する光変調素子上の領域を表示可能領域５４とする。
【００２３】
画像処理部１２は、台形歪補正処理を行う台形歪補正部２１と、画像の位置調整処理を
行う位置調整部２２と、を有している。また、画像処理部１２は、これ以外の処理（例え
ば、画面サイズ調節処理、画質調整処理、ガンマ補正処理および画像合成処理等）を行う
各処理部も有している（図示省略）。
【００２４】
台形歪補正部２１は、投写面３０に投写した投写画像２００に台形歪が生じた場合、光
変調画像データを補正することにより、台形歪補正処理を行う。具体的には、後述の撮像
部１５により送られた撮像データを処理し、投写面３０の投写枠（スクリーン枠）に対し
て投写画像２００の４頂点の位置ズレ量を算出することにより、台形歪が生じているか否
かを判断する。その後、投写画像２００の台形形状を矩形形状とするべく、光変調画像１
００（表示可能領域５４）を液晶ライトバルブ３４の有効領域５０内の一部の領域である
補正後画像領域５１から投写することによって、投写画像２００の台形歪を補正する（図
２参照）。なお、自動的に台形歪補正処理を行うのではなく、ユーザーが操作部１６を操
作することによって、台形歪補正を実行させる構成にしてもよい。
【００２５】
位置調整部２２は、台形歪補正部２１による台形歪補正処理が終了した後、上記の補正
後画像領域５１を、液晶ライトバルブ３４の有効領域５０内において移動させることによ
り、投写画像２００の投写位置の調整を行う。この場合、位置調整部２２は、補正後画像
領域５１を、そのサイズおよび形状を保持したまま移動させる（図６ないし図８参照）。
【００２６】
投写制御部１３は、画像処理部１２により生成された光変調画像データに基づいて、液
晶ライトバルブ３４（光変調素子）の各画素に対応する階調値を算出し、全画素の階調値
に基づいて投写制御を行う。
【００２７】
投写光学系１４は、投写面３０上に、投写画像２００を投写するものであり、ランプ駆
動部３１と、ライトバルブ駆動部３２と、光源部３３と、３原色に対応した液晶ライトバ
ルブ３４（３４Ｒ，３４Ｇ，３４Ｂ）と、投写レンズ３５と、を有する。
【００２８】
各液晶ライトバルブ３４は、一対の透明基板間に液晶が封入された液晶パネル等によっ
て構成される。各透明基板の内面には、液晶に対して微小領域毎に駆動電圧を印加可能な
透明電極が、画素としてマトリクス状に形成されている。ライトバルブ駆動部３２は、液
晶ライトバルブ３４の各画素に、光変調画像データ（全画素の階調値）に応じた駆動電圧
を印加することにより、各画素の光透過率を設定し、光変調画像１００を表示する。
【００２９】
光源部３３は、ハロゲンランプ、メタルハライドランプまたは高圧水銀ランプを適用可
能である。また、これらランプに代えて、レーザやＬＥＤなどの固体光源を用いても良い
。ランプ駆動部３１は、投写制御部１３からの点灯指令に基づいて、光源部３３を点灯さ
せる。
【００３０】
光源部３３から射出された照明光は、不図示の光分離光学系によって、Ｒ，Ｇ，Ｂの色
光に分離された後、各色用の液晶ライトバルブ３４を透過することによって変調し、変調
された変調光（光変調画像１００）は、不図示の光合成光学系（ダイクロイックプリズム
など）により画素毎に合成されてカラー画像化され、当該カラー画像化されたカラー画像
光が投写レンズ３５よって投写されることにより、投写面３０上にカラーの投写画像２０
０が写し出される。
【００３１】
なお、上記のような液晶表示方式ではなく、その他の方式を採用する投写光学系１４を
適用することもできる。具体的には、ＤＭＤ（Digital Micro mirror Device）を用いた
投写方式、いわゆる、ＤＬＰ（Digital Light
Processing）方式である。すなわち、ＤＬＰ方式は白色に光るランプの光をレンズで集光
してＤＭＤに当て、ＤＭＤの個々のミラーがオン状態に傾いているときの光を他のレンズ
で拡大し、スクリーンに投影する方式であり、本発明はこのような方式のプロジェクター
にも適用することができる。
【００３２】
撮像部１５は、ＣＣＤカメラ等で構成され、投写面３０に投写した投写画像２００を撮
像する。撮像された撮像データは、画像処理部１２に送られ、台形歪補正部２１により、
この撮像データに基づいて台形歪補正処理が行われる。
【００３３】
操作部１６は、ユーザーが各種設定および操作を行うためのものであり、プロジェクタ
ー装置１本体に備えられた操作パネル４１と、リモコン受光器４２およびリモコン４３と
、により構成される。操作パネル４１には、投写画像２００の位置を調節するための位置
調節用つまみ６３が設けられている（図３参照）。一方、リモコン４３には、位置調節用
スティック７２が設けられている（図４参照）。
【００３４】
中央制御部１７は、ＣＰＵ（Central  Processing  Unit）、ＲＯＭ（Read  Only  Mem
ory）およびＲＡＭ（Random  Access  Memory）等により構成され（いずれも図示省略）
、プロジェクター全体を制御する。なお、中央制御部１７の具体的な処理（投写処理）に
ついては後述する。
【００３５】
ここで、図２を参照し、画像の台形歪補正処理について説明する。同図は、液晶ライト
バルブ３４の有効領域５０に表示された光変調画像１００（表示可能領域５４）と、光変
調画像１００が投写面３０に投写された投写画像２００を示している。同図（ａ）に示す
ように、光変調画像１００が投写された投写画像２００には台形歪が生じている（図示で
は、縦台形歪）。台形歪補正部２１は、同図（ｂ）に示すように、光変調画像データを補
正して、光変調画像１００が投写画像２００の台形歪を補償する形状となるように変形さ
せる。これにより、投写画像２００が台形形状から矩形形状となって、台形歪が解消され
る。このとき、台形歪補正部２１は、有効領域５０において変形後の光変調画像１００（
表示可能領域５４）の面積が最大となるように、光変調画像データを補正する。変形した
光変調画像１００（表示可能領域５４）が表示された領域が、補正後画像領域５１である
。
【００３６】
ところで、台形歪補正処理後の液晶ライトバルブ３４の有効領域５０において、表示可
能領域５４以外の領域である画像マスク領域５２は、投写光を透過させないように偏光板
との組み合わせにより光透過率を下げて黒画像を表示している。当然、投写面３０におい
ても、画像マスク領域５２の黒画像を投写した投写マスク領域５３が存在する。画像マス
ク領域５２は、投写画像２００の台形歪を補償するべく光変調画像１００の少なくとも一
部を縮小させたために発生した画素領域であり、実際には、画像表示可能な領域である。
よって、投写マスク領域５３も、画像を投写可能な領域である。本発明の位置調整部２２
は、この画像マスク領域５２を利用し、補正後画像領域５１を移動させて投写画像２００
の位置調整を行う。
【００３７】
次に、図３および図４を参照し、プロジェクター装置１の操作部１６における、投写画
像２００の位置調節操作機能について説明する。図３（ａ）は、プロジェクター装置１本
体に設けられた操作パネル４１を示している。操作パネル４１は、電源ボタン６１と、各
種操作を行うボタン群６２と、投写画像２００の投写位置を調節するための位置調節用つ
まみ６３と、を有している。
【００３８】
位置調節用つまみ６３は、投写画像２００を縦方向（上下方向）に操作する縦操作用つ
まみ６３ａと、横方向（左右方向）に操作する横操作用つまみ６３ｂと、を有している。
縦操作用つまみ６３ａおよび横操作用つまみ６３ｂは、いわゆるつまみ移動式操作子であ
り、図３（ｂ）に示すように、ユーザーがつまんで操作するつまみ部６４と、つまみ部６
４に連接されたスライド部６５と、スライド部６５がスライド移動するスライド溝６６と
、を有している。ユーザーは、つまみ部６４をスライド溝６６の範囲内でスライドさせて
、投写画像２００の投写位置を調節する。一方、画像処理部１２の位置調整部２２は、ス
ライド部６５の変位量に応じて、光変調画像１００（補正後画像領域５１）の移動量を調
整する。なお、このように、つまみを直線方向に移動（スライド）させる直線式つまみで
はなく、つまみを回転させる回転式つまみで、位置調節用つまみ６３を構成しても良い。
【００３９】
図４は、プロジェクター装置１を遠隔操作するためのリモコン４３を示している。リモ
コン４３は、操作パネル４１と同様の各種操作を行うリモコンボタン群７１と、投写画像
２００の投写位置を調節するための位置調節用スティック７２（レバー式操作子）と、を
有している。位置調節用スティック７２は、いわゆるジョイスティックであり、ユーザー
は、スティック部７３を上下左右、斜め方向に傾けて投写画像２００の位置調節を行う。
一方、画像処理部１２の位置調整部２２は、スティック部７３の傾き方向および傾き量で
、光変調画像１００（補正後画像領域５１）の移動方向および移動量を調整する。なお、
上下方向、左右方向にスティックを傾けて操作する十字レバーや、上・下・左・右に対応
し、押下時間によって調節量を可変可能な十字ボタンで、位置調節用スティック７２を構
成しても良い。
【００４０】
このように、操作部１６に、投写画像の位置調節操作機能を設けることで、ユーザーの
操作に従って、ユーザーが所望する量だけ投写画像２００の位置を調節することができる
。また、位置調節用つまみ６３および位置調節用スティック７２により、直感的且つ連続
的に投写画像２００の投写位置を調整することができる。なお、操作パネル４１に位置調
節用スティック７２を、位置調節用つまみ６３をリモコン４３に、設けてもよい。
【００４１】
また、操作部１６は一般的なノートパソコンに搭載されるタッチパッドや、静電容量式
のタッチパネルで構成しても良い。この構成によれば、操作部１６の省スペースを実現す
ると共に、使用者は、より直感的に投写画像２００の位置調節を行うことができる。特に
、複数点が検出可能なタッチパネルを用いることで、パネル上の２点同時検出により、ピ
ンチ動作でズームアウトおよびズームインの動作が可能になり、投写画像の縦移動、横移
動および拡大、縮小が一度に操作可能となり、操作性が向上する。
【００４２】
次に、図５を参照し、プロジェクター装置１の投写処理（投写方法）について説明する
。プロジェクター装置１（中央制御部１７）は、信号入力部１１により画像信号を入力す
ると（Ｓ０１）、画像処理部１２により画像信号に所定の処理を施して光変調画像データ
を生成する（Ｓ０２）。そして、投写制御部１３により液晶ライトバルブ３４に光変調画
像データに基づいた光変調画像１００を表示する（Ｓ０３）。この光変調画像１００を投
写光学系１４により投写面３０に投写する（Ｓ０４）。続いて撮像部１５により、投写面
３０に投写された投写画像２００を撮像して（Ｓ０５）、撮像された撮像データを画像処
理部１２に送り、投写画像２００に台形歪が生じているか否かを判別する（Ｓ０６）。
【００４３】
台形歪が生じていない場合は（Ｓ０６；ＮＯ）、台形歪補正処理および位置調整処理画
像処理を行うことなく、処理を終了する。一方、投写画像２００に台形歪が生じている場
合は、台形歪補正部２１により台形歪補正処理を実行する（Ｓ０７）。その後、操作部１
６により位置調節操作があった場合（Ｓ０８；ＹＥＳ）、位置調整部２２により位置調整
処理を実行し（Ｓ０９）、投写処理を終了する。また、位置調節操作がなかった場合は（
Ｓ０８；ＮＯ）、そのまま投写処理を終了する。
【００４４】
続いて、図６ないし図８を参照し、画像の位置調整処理について説明する。図６は、投
写画像２００の縦台形歪を補正した後の、投写画像２００および光変調画像１００を示し
ている。同図（ａ）に示すように、液晶ライトバルブ３４の有効領域５０に表示された光
変調画像１００（補正後画像領域５１）は、上方に画像マスク領域５２が存在しているた
め、上方向に移動可能である。位置調整部２２は、ユーザーによる操作部１６の操作に応
じて光変調画像データを補正して、光変調画像１００（補正後画像領域５１）を有効領域
５０で上下方向に移動させる。この光変調画像１００の移動により、投写画像２００も図
示のように上下方向に移動する。このとき、位置調整部２２は、光変調画像１００を、有
効領域５０内において２頂点（点Ａ１および点Ｂ１）を内接させたまま、また、サイズお
よび形状を保持したまま移動させる。なお、実際には、図６に示すように、２頂点を内接
させたまま光変調画像１００を上方向に移動させると、投写画像２００は僅かに拡大され
る（同図（ｂ）および（ｃ）参照）。
【００４５】
図７は、投写画像２００の横台形歪を補正した後の、投写画像２００および光変調画像
１００を示している。同図（ａ）に示すように、光変調画像１００（補正後画像領域５１
）は、右方に画像マスク領域５２が存在しているため、右方向に移動可能である。位置調
整部２２は、ユーザーによる操作部１６の操作に応じて光変調画像データを補正して、光
変調画像１００（補正後画像領域５１）を有効領域５０で左右方向に移動させる。この光
変調画像１００の移動により、投写画像２００も図示のように左右方向に移動する。この
とき、位置調整部２２は、光変調画像１００を、有効領域５０内において２頂点（点Ａ２
および点Ｂ２）を内接させたまま、また、サイズおよび形状を保持したまま移動させる。
なお、実際には、図７に示すように、２頂点を内接させたまま光変調画像１００を右方向
に移動させると、投写画像２００は僅かに拡大される（同図（ｂ）および（ｃ）参照）。
【００４６】
図８は、投写画像２００の縦横台形歪を補正した後の、投写画像２００および光変調画
像１００を示している。図示の光変調画像１００は、右方向に移動可能である。位置調整
部２２は、ユーザーによる操作部１６の操作に応じて光変調画像データを補正して、光変
調画像１００（補正後画像領域５１）を有効領域５０で左右方向に移動させる。この光変
調画像１００の移動により、投写画像２００も図示のように左右方向に移動する。このと
き、位置調整部２２は、光変調画像１００を、有効領域５０内において２頂点（点Ａ３お
よび点Ｂ３）を内接させたまま、また、サイズおよび形状を保持したまま移動させる。な
お、実際には、図８に示すように、２頂点を内接させたまま光変調画像１００を右方向に
移動させると、投写画像２００は僅かに拡大される（同図（ｂ）および（ｃ）参照）。
【００４７】
以上説明したとおり、本実施形態に係るプロジェクター装置１によれば、光変調画像デ
ータを補正して投写画像２００の位置調整を行うため、位置調整後の投写画像２００に再
び大きな台形歪を生じさせることなく容易に画像の位置調整をすることができる。また、
画素単位での移動が可能になり、正確で微小な位置調整を行うことができる。また、有効
領域５０内の画像マスク領域５２を活用して、光変調画像１００（補正後画像領域５１）
を移動させるため、液晶ライトバルブ３４の画素を有効活用することができる。さらに、
光変調画像（補正後画像領域５１）１００の２頂点を内接させたまま有効領域５０内を移
動させるため、常に、光変調画像１００の面積を液晶ライトバルブ３４の有効領域５０に
おいて最大に保つことができ、光変調画像１００に対応する画素数の減少を防いで、投写
画像２００の劣化を防ぐことができる。また、光変調画像１００のサイズおよび形状を保
持したまま有効領域５０内を移動させるため、位置調節に伴う画像処理も容易となる。
【００４８】
なお、上記の実施形態では、位置調整部２２による補正後画像領域５１の移動により、
投写画像２００のサイズが僅かに拡大すると記載したが、調整前と調整後で投写画像２０
０のサイズが同じとなるように光変調画像１００の縮小処理を行っても良い。すなわち、
位置調整部２２は、投写面３０において画面サイズを同面積に保ったまま位置調整をする
ために、操作部１６の操作に応じて光変調画像１００を移動させた後、光変調データをさ
らに補正して光変調画像１００（補正後画像領域５１）を、画像位置を維持したまま内側
に縮小させ、移動前の投写画面２００と移動後の投写画面２００が同面積となるように調
整するようにしてもよい。また、補正後画像領域５１の移動後または光変調画像１００の
縮小処理時に、再度台形歪補正部２１による台形歪補正処理を行うようにしてもよい。
【００４９】
なお、上記の実施形態に示したプロジェクター装置の各構成要素をプログラムとして提
供することが可能である。また、そのプログラムを各種記録媒体（ＣＤ−ＲＯＭ、フラッ
シュメモリ等）に格納して提供することも可能である。すなわち、コンピューターを、プ
ロジェクター装置の各構成要素として機能させるためのプログラム、およびそれを記録し
た記録媒体も、本発明の権利範囲に含まれるものである。その他、本発明の要旨を逸脱し
ない範囲で、適宜変更が可能である。
【符号の説明】
【００５０】
１：プロジェクター装置  １２：画像処理部  １６：操作部  ２１：台形歪補正部  ２
２：位置調整部  ３４液晶ライトバルブ  ５０：有効領域  ５１：補正後画像領域  ５２
：画像マスク領域  ５３：投写マスク領域  ５４：表示可能領域  ６３：位置調節用つま
み  ７２：位置調節用スティック  １００：光変調画像  ２００：投写画像
【図１】
2011205524.tif 000003
【図２】
2011205524.tif 000004
【図３】
2011205524.tif 000005
【図４】
2011205524.tif 000006
【図５】
2011205524.tif 000007
【図６】
2011205524.tif 000008
【図７】
2011205524.tif 000009
【図８】
2011205524.tif 000010